(57)【要約】      （修正有）【課題】各種作業具（モップ等）の柄杆に補助柄（把持部）を取り付けてなるものは、ある程度握力を必要とするものであり、基本的に健常者を対象としてなるものと思われ握力のない方や子供、障害者の方も使用することができない。【解決手段】掃除道具の柄Ｅの所要位置に、着脱自在に取り付ける柄取付部２と、指を挿入する挿入部３ａを設けてある指保持部３とからなる掃除道具用補助具１であり、指を挿入し保持するだけで柄Ｅを支持することができ、容易に掃除を可能とする。【選択図】図１
2016083333.tif 000002
【特許請求の範囲】
【請求項１】
掃除道具の柄の所要位置に、着脱自在に取り付ける柄取付部と指を挿入する挿入部を設けてある指保持部とからなることを特徴とする掃除道具用補助具。
【請求項２】
柄取付部と指保持部とを一体に形成してなることを特徴とする請求項１記載の掃除道具用補助具。
【請求項３】
柄取付部を、外径の異なる柄を挟持すべく、挟持片としてなることを特徴とする請求項１又は２記載の掃除道具用補助具。
【請求項４】
柄取付部を、外径の異なる柄を抱持すべく、抱持体としてなることを特徴とする請求項１又は２記載の掃除道具用補助具。
【請求項５】
柄取付部と指保持部を別体とし、角度調整具を設けてなることを特徴とする請求項１，２，３又は４記載の掃除道具用補助具。
【請求項６】
指保持部に、切欠部を設けてなることを特徴とする請求項１、２、３、４又は５記載の掃除道具用補助具。
【請求項７】
掃除道具がモップ・ホウキであることを特徴とする請求項１、２、３、４、５又は６記載の掃除道具用補助具。
【発明の詳細な説明】
【技術分野】
【０００１】    本発明は、掃除道具であると特にモップやホウキに取り付けて使用する掃除道具用補助具である。
【背景技術】
【０００２】  従来としては、体（手や指）が不自由な方がモップの柄を持って作業することは大変で、モップを落下させていた。
特に、握力のない方は柄を握ることができず、作業時において、苦労されているのが現状です。【０００３】
2016083333.tif 000003
作用部材がほぼ水平方向へ動かされることによって作業が行える作業道具において、前記
2016083333.tif 000004
なった補助柄を設けたことを特徴とする、作業道具がある。（特許文献１参照）
【先行技術文献】
【特許文献】
【０００４】
【特許文献１】  実開平２−２３４０１号公報
【発明の概要】
【発明が解決しようとする課題】
【０００５】
2016083333.tif 000005
けてなるもので、ある程度握力を必要とするもので、基本的に健常者を対象としてなるものと思われます。【０００６】  本発明は、このような従来の構成が有していた問題を解決しようとするものであり、掃除道具（モップ等）の柄に、指を挿入する指保持部を設けた掃除道具用補助具を取り付けることにより、握力のない方や子供、また、障害者の方でも使用することのできる掃除道具用補助具を提供することを目的とする。
【課題を解決するための手段】
【０００７】  本発明は、前記目的を達成するために、掃除道具の柄の所要位置に、着脱自在に取り付ける柄取付部と指を挿入する挿入部を設けてある指保持部となること。柄取付部と指保持部とを一体に形成してなること。柄取付部と指保持部を別体とし、角度調整具を設けてなること。指保持部に、切欠部を設けてなること。掃除道具がモップ・ホウキであることを特徴とする。
【発明の効果】
【０００８】１）、掃除道具の柄に、着脱に取り付けるべく、柄取付部と指保持部とからなる掃除道具    用補助具により、握力のない方や子供、障害者の方でも、指を挿入した保持するだけ    で柄を支持することができ、容易に掃除ができる。
２）、柄取付部と指保持部を一体化することにより、指を確実に保持できる。
３）、角度調整具を設けることにより、自分の指の位置を自由に設定でき、ベストポジシ    ョンが可能となる。
４）、切欠部により、万一作業中に作業者が倒れた時も、指が切欠部より外れるため、手    や指を損傷することがない。
５）、掃除道具は、モップ・ホウキ等、色々取り付け可能。
【図面の簡単な説明】
【０００９】
【図１】  本発明の第１実施例を示す掃除道具用補助具の正面図。
【図２】  本発明の第１実施例を示す掃除道具用補助具の平面図。
【図３】  本発明の第２実施例を示す掃除道具用補助具の正面図。
【図４】  本発明の第２実施例を示す掃除道具用補助具の平面図。
【図５】  本発明の第３実施例を示す掃除道具用補助具の正面図。
【図６】  本発明の第４実施例を示す掃除道具用補助具の平面図。
【発明を実施するための形態】
【００１０】    掃除道具用補助具１は、バネ鋼や樹脂材料等の平板を平面略Ｕ字形に折曲し、先端部に掃除道具の柄Ｅの所要位置に、着脱自在に取り付ける案内片２ａ設けると共に半円弧状の挟持片２ｂによる柄取付部２と、後端部に指Ｙを挿入する円形の穴による挿入部３ａを設けてなる指保持部３とからなるものである。（図１・図２）
【００１１】  この掃除道具用補助具１は、柄Ｅの所要位置に圧入して挟持片２ｂにて取り付けられるもので、挿入部３ａに指を入れて使用するものである。（図１・図２）
【００１２】  つぎに、掃除道具用補助具２１は、例えばプラスチック製あるいは硬質ゴム製によるもので、前記と同様な案内片２２ａと挟持片２２ｂとからなる柄取付部２２の背面に、後端部に切欠部２３ａを設けたリング状の指保持部２３を一体に突設してある。（図３・図４）
【００１３】  この掃除道具用補助具２１は、モップ等の柄に簡単に着脱自在に取り付けられると共に、作業中に倒れたとしても切欠部２３ａから指Ｙ１が外れ、怪我をすることもない。（図３・図４）
【００１４】  掃除道具用補助具３１は、前記と同様な案内片３２ａと挟持片３２ｂを設けると共に、コイルバネ３２ｃにて開閉するつまみ片３２ｄを設けた柄取付部３２の一方のつまみ片３２ｄ１に、後端部に切欠部３３ａを設けた指保持部３３の取付穴３３ｂに、ボルト・ナットによる角度調整具３４を設けてある。（図５・図６）
【００１５】  この掃除道具用補助具３１は、角度調整具３４により、自分にあった角度に指Ｙ２を調整することができ、作業し易いものである。（図５・図６）
【００１６】  掃除道具用補助具４１は、指を挿入する略円形状の挿入部４３ａを設けてなる指保持部４３の先端部に、外径の異なる掃除道具の柄を抱持すべく一端を固定したリング状の抱持片４２ａと、抱持片４２ａを固着させるべく凹凸テープ４２ｂとからなる抱持体による柄取付部４２を設けてある。（図７・図８）
【００１７】  この掃除道具用補助具４１は、各大きさ（外径）を有する柄Ｅ４に対して、まず、抱持片４２ａを巻き付け、つぎに、凹凸テープ４２ｂを締め付けて抱持片４２ａを柄Ｅ４に固着させるものであり、指保持部４３に指Ｙ４を挿入し、使用するものである。（図７・図８）
【００１８】  前記各実施例において、材質・形状・大きさ等は必要に応じて決めればよく、特に限定しない。
また、掃除道具も特に限定することなどなく、必要に応じて柄の上下に２個取り付けてもよい。
【産業上の利用の可能性】
【００１９】  特に、障害者の方で、手の不自由な方用に開発したもので、指が動かせれば、使用することができ、握力も必要ない。又、柄を持つ位置の目やすとなり、作業の訓練にも役立ちます。
よって、障害者の方がビルメンテナンス企業への就職が可能となると共に、健常者の方においても、掃除道具の訓練用としての使用もできる。
【符号の説明】
【００２０】  １―――掃除道具用補助具
２―――柄取付部
２ａ――案内片
２ｂ――挟持部
３―――指保持部
３ａ――挿入部
Ｅ―――柄
Ｙ―――指
【図１】
2016083333.tif 000006
【図２】
2016083333.tif 000007
【図３】
2016083333.tif 000008
【図４】
2016083333.tif 000009
【図５】
2016083333.tif 000010
【図６】
2016083333.tif 000011
【図７】
2016083333.tif 000012
【図８】
2016083333.tif 000013
【手続補正書】
【提出日】平成27年3月2日(2015.3.2)
【手続補正１】
【補正対象書類名】明細書
【補正対象項目名】０００９
【補正方法】変更
【補正の内容】
【０００９】
【図１】本発明の第１実施例を示す掃除道具用補助具の正面図。
【図２】本発明の第１実施例を示す掃除道具用補助具の平面図。
【図３】本発明の第２実施例を示す掃除道具用補助具の正面図。
【図４】本発明の第２実施例を示す掃除道具用補助具の平面図。
【図５】本発明の第３実施例を示す掃除道具用補助具の正面図。
【図６】本発明の第３実施例を示す掃除道具用補助具の平面図。
【図７】本発明の第４実施例を示す掃除道具用補助具の正面図。
【図８】本発明の第４実施例を示す掃除道具用補助具の平面図